(57)【要約】      （修正有）【課題】既存の受水槽は空気中の微粉塵等が入り込み受水槽底部にヘドロ状に堆積し、受水槽内上部の内壁にも付着してその清掃に多大な手間賃と多種費用が必要となり、受水槽内の微粉塵が混ざった水を浄水して飲料水として配水できる洗浄・浄水装置を提供する。【解決手段】水道配管２を受水槽１内で上部ノズル配管４と下部のノズル配管６に分岐して、上部ノズル配管４に上部ノズル５を取り付け、水道水を噴射して受水槽１内の上部空間の内壁に付着する微粉塵を洗浄し、受水槽１内の底部の水中に設置した下部ノズル配管６に下部ノズルを取り付け、水道水を噴射して受水槽１内の水を攪拌させる事により微粉塵のヘドロ状堆積を防止する。更に受水槽１内の上部ノズル５で洗浄された水と下部ノズルで攪拌された水との混合水を受水槽１外部に設置した水浄化装置１０で濾過処理して各給水箇所に配水する。【選択図】図１
2020148010.tif 000002
【特許請求の範囲】
【請求項１】
上下水位検知装置によって水道配管からの給水量を制御するために調整される受      水槽の最高水位より上方の空間である上層部に設けられた上部ノズルと、前記受水      槽の最低水位より下方の水中部に設けられた下部ノズルと、を有し、前記上部ノズ      ルは水道配管から分岐された上部ノズル配管に設けられ、前記下部ノズルは水道配      管から分岐された下部ノズル配管に設けられ、前記上部ノズルに水道水を噴射させ      て前記受水槽内の内壁に付着する微粉塵を洗浄し、前記下部ノズルに水道水を噴射      させる事により前記受水槽内の水を攪拌させることにより微粉塵のヘドロ状付着と      底部への堆積を防止することを特徴とする受水槽内の洗浄装置。
【請求項２】
前記受水槽内の底面が略長方形の形状を有した場合は、前記下部ノズルは、受水      槽の底面角部の方向に向いた形状を有する角部用下部ノズルと前記受水槽内底面の      中央部の方向に向いた中央部用下部ノズルを有することを特徴とする請求項１に記      載の受水槽内の洗浄装置。
【請求項３】
請求項１又は請求項２に記載の受水槽内の洗浄装置を有する前記受水槽の外部に      水浄化装置を設け、前記受水槽内の攪拌水を濾過した後に各給水箇所に配水するこ      とを特徴とする浄水供給システム。
【発明の詳細な説明】
【技術分野】
【０００１】
受水槽内の洗浄装置及び浄水供給システムに関するものである。
【背景技術】
【０００２】
現在使用されているマンション等の共同住宅の受水槽は各給水先で水道水を使用す      
る度に受水槽内の水位が上り下がりを繰り返している。その水位移動の度に空気と共      
に空気取り入れ口より入り込んだ微粉塵等が受水槽内の内壁に付着し底部にはヘドロ      
状に堆積する状況があった。また、水道水からの塩素ガスや直射日光による腐食や劣      
化を抑制す事を目的として受水槽内上部に散水ノズルを設け、受水槽内の天井と側壁      
に水道水を散水する構造のものはあった。(特許文献１)
【先行技術文献】
【特許文献】
【０００３】
【特許文献１】特開昭５５―１４２８４２号公報
【発明の概要】
【発明が解決しようとする課題】
【０００４】
現在使用されているマンションなど共同住宅の受水槽の空気取り入れ口には主に防      
虫用金網が設置されているが、供給先の各戸で水道水が使用されると水位が下がり、      
又水道管から水が補充されると水位が上がるが、その度に受水槽内の空気移動が生じ      、
網目から入り込む空気と共に微粉塵等が入り込み易く、受水槽内の水面より上部の空      
間部の内壁には微粉塵が付着し、受水槽内の水中の底部には微粉塵がヘドロ状に堆積      
する。その清掃作業には毎年の手間賃や雑経費も高額となる事が課題であった。更に      、
最終配水の中に微粉塵に含まれる細菌への心配など衛生面の課題もあった。以下に前      
記記載の特許文献の課題について述べれば、特許文献１の場合は側壁の微粉塵は除去      
できるが水中底部にヘドロ状に堆積する微粉塵の除去対策にはならない。
【課題を解決するための手段】
【０００５】
本発明は上記課題を解決するために上下水位検知装置によって水道配管からの給水    量と水位が調整される受水槽の最高水位より上方の空間である上層部に設けられた上    部ノズルと前記受水槽の最低水位より下方の水中部に設けられた下部ノズルとを有し    、上部ノズルは水道配管から分岐された上部ノズル配管に設けられ、前記下部ノズル    は水道配管から分岐された下部ノズル配管に設けられ、上部ノズルに水道水を噴射さ    せて受水槽内の内壁に付着する微粉塵を洗浄し、下部ノズルに水道水を噴射させる事    により受水槽内の水を攪拌させることにより微粉塵のヘドロ状付着と底部への堆積を    防止する構成とし、また前記の受水槽内の底面が略長方形を有した場合には前記下部    ノズルは底面の角部と中央部に向けて噴射する構成とする。更に受水槽外部に取り付    けた水浄化装置で濾過処理した清水を各給水箇所に配水する構成をしたものである。    
【発明の効果】
【０００６】
本発明は受水槽の外部から入り込み、受水槽内の内壁に付着した微粉塵を、前記に        
示す手段により、受水槽内に給水される水道水の上部ノズル噴射の圧力で自動的に洗    い流し、更に下部ノズルからの噴射による受水槽内の水の攪拌効果により受水槽底部    における微粉塵のヘドロ状堆積を自動的に防止することができる。その結果、受水槽    内の清掃に要する多大な手間と経費を大幅に削減出来る。言い換えれば、この装置は    水道水の水圧のみを利用した方法のため、ポンプを稼動させるような多大な電気代も    不要である。また公営水道配管内の錆の発生している中を通過してくる水の場合でも    濾過してから配水するため安心な飲料水として使用でき、しかも簡易なシステムのた    め、既存受水槽にも転用が可能である。
【図面の簡単な説明】
【０００７】
【図１】本発明の実施形態を示す受水槽内の洗浄装置の全体構成図
【図２】同受水槽内の洗浄装置の上部ノズル配管構成図
【図３】同受水槽内の洗浄装置の下部ノズル配管平面構成図
【図４】同受水槽内の洗浄装置の上部及び下部ノズル配管斜視図
【図５】同受水槽内の洗浄装置の上部ノズルの吐出口概観図
【図６】同受水槽内の洗浄装置の下部ノズルの吐出口概観図
【発明を実施するための形態】
【０００８】
以下本発明を実施する為の形態を図面に準じて説明する。図１は、上部ノズル配      管４と上部ノズル５との位置関係と、下部ノズル配管６と下部ノズル７とフロート      バルブ(上下水位検知装置)３との位置関係及び受水槽外部に設置する水浄化装置      １０の位置を示す全体構成図である。水位を検知し制御するための上下水位検知装      置として、例えば同図に示すようにフロートバルブ３を使用した構成とする。この      場合はフロート3aの位置が最高水位３Ａまで上がった時は閉になり、最低水位３Ｂ      まで下がった時は開となって水道水の給水量を調整する。各給水箇所の水道水の使      用量に合わせて受水槽１内の水量を測定して最低水位３Ｂのフロートバルブ３のフ      ロート位置を決めて設置する。または水位検知には電気式の圧力センサーと電磁弁      を用いてもよい。この場合は受水槽１に水を供給するため水道配管２に設けられた      弁１３を電磁弁とし、圧力センサーからの信号でこの電磁弁の開閉を制御すれば良      い。
【０００９】
図２は、受水槽１内の上部ノズル配管４と上部ノズル５の配管構成図であり、又水      道配管２との配管構成図である。上部ノズル５は水道水をシャワー状にして、上方      の内壁に向けて、略長方形の場合は特に四隅の方向に向けて水道水を噴射して内壁      に付着した微粉塵を洗浄する。
【００１０】
図３は、受水槽１内の下部ノズル配管６と下部ノズル７の配置平面図であり、又水      浄化装置の配管平面構成図である。微粉塵がヘドロ状に堆積するのを防止するため      、下部ノズル７として底部方向の中央部に水道水を噴射できる中央部用下部ノズル      ７aを設け、受水槽１内の水を攪拌する。底面が略長方形の場合は下部ノズル７と      して中央部用下部ノズル７aを設けるとともに、底面角部に向けて水道水を噴射で      きる角部用下部ノズル７ｂも設ける。
【００１１】
図３に示す様に、受水槽１の外部に取り付けた水取り出し口バルブ９の下流側に設      置した水浄化装置１０は、混合水を濾過するものである。受水槽１内の水は上部ノ      ズル５で内壁を洗浄し、下部ノズル７では攪拌された後の混合水のため、微粉塵の      混ざったままであり、又公営水道配管内の錆が発生している中を通過してくる場合      の水も含めて混合水は濾過してから各給水箇所に送水する必要がある。
【００１２】
図２、図３に示すノズル水圧水量調整バルブ８は上部ノズル５と下部ノズル７の吐      出水圧と水量を調整するバルブである。
【００１３】
図４に示す様に水道配管２の位置と上部ノズル配管４と上部ノズル５の位置及び下      部ノズル配管６と下部ノズル７の位置を示す配管斜視図であり、ノズル水圧水量調      整バルブ８の取り付け位置を示す図でもある。
【００１４】
図５に示す様に上部ノズル５の吐出口はシャワー状の水が出るように多数個の穴を      開けた構成となっている。
【００１５】
図６に示す様に下部ノズル７の吐出口は水圧を上げるため穴数は一個の構成となっ      ている。
【００１６】
上記の各配管の構成と作用を水道水の流れに従って説明する。受水槽内の水位が最      低水位になれば、受水槽１の外部より弁１３を通して受水槽１内に入りフロートバ      ルブ(水位検知装置)３を介して上部ノズル配管４と下部ノズル配管６とに分岐さ      れたノズル水圧水量調整バルブ８を夫々経由して上部ノズル配管４と下部ノズル配      管６に夫々取り付けられた上部ノズル５と下部ノズル７より水道水が噴射される。      上部ノズル５は上方向と横方向に向けて複数個取り付け、これより水道水を受水槽      内の水上の空間部に向けて噴射させることにより受水槽１の内壁に付着する微粉塵      を洗浄する。下部ノズル７は中央部用下部ノズル７aと角部用下部ノズル７bの２      種類とし、中央部用下部ノズル７aは中央部下方に向け、角部用下部ノズル７bは      底面角部に向けて複数個取り付け、これより水道水を噴射して受水槽１内の水を攪      拌させて底部に微粉塵が蓄積しヘドロ状になることを防ぐ。
【００１７】
更に受水槽の外部の下流部に水浄化装置１０を設置して、受水槽内の内壁を洗浄      した水と受水槽内で攪拌された後の水の混合水を水浄化装置１０で濾過した清水を      
各給水箇所に配水する。
【００１８】
下部ノズル７の吐出口の形状は受水槽底部に堆積したヘドロ状態の程度に応じて      変更すればよい。
【符号の説明】
【００１９】
１    受水槽
２    水道配管
３    フロートバルブ  (上下水位検知装置) 
３a   フロート
４    上部ノズル配管
５    上部ノズル
６    下部ノズル配管
７    下部ノズル
７a   中央部用下部ノズル
７b   角部用下部ノズル
８    ノズル水圧水量調整バルブ
９    受水槽内水取り出し口バルブ
１０    水浄化装置
１１    給水箇所分配配管
１２    空気取り入れ口
１３    弁
【図１】
2020148010.tif 000003
【図２】
2020148010.tif 000004
【図３】
2020148010.tif 000005
【図４】
2020148010.tif 000006
【図５】
2020148010.tif 000007
【図６】
2020148010.tif 000008
【手続補正書】
【提出日】令和1年7月19日(2019.7.19)
【手続補正１】
【補正対象書類名】特許請求の範囲
【補正対象項目名】請求項１
【補正方法】変更
【補正の内容】
【請求項１】
受水槽に水道水を入れて給水量を調整するフロートバルブを備え、前記受水槽内の 最高水位より上方の空間である上層部に設けられた上部ノズルと、前記受水槽内の最 低水位より下方の水中部に設けられた下部ノズルと、を有し、前記上部ノズルと前記 下部ノズルより噴射される水道水はフロートバルブを通過して上部ノズル配管と下部 ノズル配管に分岐され、前記上部ノズル配管と前記下部ノズル配管とに水圧水量調整 バルブを設け、前記上部ノズル配管は前記受水槽内の最高水位より上方の空間部に設 け、前記上部ノズル配管に前記上部ノズルを上向けに取り付け、前記下部ノズル配管 は前記受水槽内の最低水位より下方の水中に設け、前記下部ノズル配管に前記下部ノ ズルを下向けに取り付け、前記上部ノズルから前記受水槽内の上方部の内壁に水道水 を噴射して内壁に付着した微粉塵を洗浄し、前記下部ノズルから前記受水槽内の底部 水中に水道水を下向けに噴射させることによって前記受水槽内の水を攪拌させること により微粉塵のヘドロ状付着と底部への堆積を防止し、前記フロートバルブの開閉に より水圧を利用して洗浄することを特徴とする受水槽内の洗浄装置。
【手続補正２】
【補正対象書類名】特許請求の範囲
【補正対象項目名】請求項２
【補正方法】変更
【補正の内容】
【請求項２】
前記受水槽内の底面が略長方形の形状を有し、前記下部ノズルは、前記受水槽の底
面の凹んだ角部の方向に向けた角部用下部ノズルと前記受水槽内底面の中央部に向け
た中央部用下部ノズルを有し、前記下部ノズルより水道水を底面へ向けて噴射すること      
を特徴とする請求項１に記載の受水槽内の洗浄装置。